【手続補正書】
【提出日】平成19年3月30日(2007.3.30)
【手続補正１】
【補正対象書類名】明細書
【補正対象項目名】発明の名称
【補正方法】変更
【補正の内容】
【発明の名称】カラー画像形成装置、カラー画像形成装置における処理方法
【手続補正２】
【補正対象書類名】明細書
【補正対象項目名】特許請求の範囲
【補正方法】変更
【補正の内容】
【特許請求の範囲】
【請求項１】  未定着のパッチの濃度を検知する第１検知手段と、転写材上に形成された定着後のパッチの色を検知する第２検知手段とを有し、画像の入出力特性の補正を行うカラー画像形成装置であって、
前記第１検知手段により検知された未定着のパッチの濃度と、前記第２検知手段により検知された定着後の転写材上のパッチの色と、の両検知結果に基づき、前記入出力特性の補正を行う補正手段を有することを特徴とするカラー画像形成装置。
【請求項２】  前記補正手段は、第１入出力特性補正である前記入出力特性の補正を行った後に、第２入出力特性補正として、前記第２検知手段による定着後のパッチの色の検知を行うことなく、前記第１検知手段による未定着のパッチの濃度検知結果を用い前記入出力特性の補正を行ない、その後に再度、前記第１入出力特性補正を行う、循環型の入出力特性の補正を行うことを特徴とする請求項１に記載のカラー画像形成装置。
【請求項３】  前記補正手段は、前記第１検知手段により検知されたブラックによる未定着の階調パッチの濃度の、あらかじめ定められたブラックの入出力特性のターゲットからのずれを算出し、該算出結果を用い、前記ブラックの濃度を前記ターゲットへ戻すよう、ブラックの入出力特性を補正し、
更に、前記ブラックの入出力特性を反映させたグレーパッチとシアン及びマゼンダ及びイエローを混色したプロセスグレーパッチとを転写材上に形成する形成手段を有し、
前記補正手段は、前記第２検知手段により検知された、前記形成手段により形成された前記転写材上に形成された定着後の各パッチの色に基づき、プロセスグレーパッチの色度がブラックによるグレーパッチの色度と同じになるシアン及びマゼンダ及びイエローの各階調度を算出し、該算出結果に基づきシアン及びマゼンダ及びイエローの入出力特性の補正を行うことを特徴とする請求項１又は２に記載のカラー画像形成装置。
【請求項４】  ブラックによるグレーパッチとシアン及びマゼンダ及びイエローを混色したプロセスグレーパッチとを転写材上に形成する形成手段を有し、
前記補正手段は、前記第２検知手段により検知された、前記形成手段により形成された前記転写材上に形成された各パッチの色に基づき、プロセスグレーパッチの色度がブラックによるグレーパッチの色度と同じになるシアン及びマゼンダ及びイエローの各階調度を算出し、該算出結果に基づきシアン及びマゼンダ及びイエローの入出力特性を補正し、その後に、前記第２検知手段による定着後のパッチの色の検知を行うことなく、前記第１検知手段による各色の未定着のパッチの濃度の検知結果を用いることにより各色の入出力特性の補正を行うことを特徴とする請求項１又は２に記載のカラー画像形成装置。
【請求項５】  前記第１検知手段は、赤外発光手段と受光手段により構成されることを特徴とする請求項１乃至４の何れか１項に記載のカラー画像形成装置
【請求項６】  前記第２検知手段は、白色発光手段と、異なる３色以上のオンチップフィルタ付き受光手段により構成され、転写材の搬送経路内に設置されることを特徴とする請求項１乃至５の何れか１項に記載のカラー画像形成装置。
【請求項７】  前記第２検知手段は、異なる３色以上の発光手段と受光手段により構成され、転写材の搬送経路内に設置されることを特徴とする請求項１乃至５の何れか１項に記載のカラー画像形成装置。
【請求項８】  未定着のパッチの濃度を検知する第１検知手段と、転写材上に形成された定着後のパッチの色を検知する第２検知手段とを有し、画像の入出力特性の補正を行うカラー画像形成装置における処理方法であって、
前記第１検知手段により検知された未定着のパッチの濃度と、前記第２検知手段により検知された定着後の転写材上のパッチの色と、の両検知結果に基づき、前記入出力特性の補正を行う補正工程を有することを特徴とするカラー画像形成装置における処理方法。
【請求項９】  前記補正工程は、第１入出力特性補正である前記入出力特性の補正を行った後に、第２入出力特性補正として、前記第２検知手段による定着後のパッチの色の検知を行うことなく、前記第１検知手段による未定着のパッチの濃度検知結果を用い前記入出力特性の補正を行ない、その後に再度、前記第１入出力特性補正を行う、循環型の入出力特性の補正を行うことを特徴とする請求項８に記載のカラー画像形成装置における処理方法。
【請求項１０】  前記補正工程は、前記第１検知手段により検知されたブラックによる未定着の階調パッチの濃度の、あらかじめ定められたブラックの入出力特性のターゲットからのずれを算出し、該算出結果を用い、前記ブラックの濃度を前記ターゲットへ戻すよう、ブラックの入出力特性を補正し、
更に、前記ブラックの入出力特性を反映させたグレーパッチとシアン及びマゼンダ及びイエローを混色したプロセスグレーパッチとを転写材上に形成する形成工程を有し、
前記補正工程は、前記第２検知手段により検知された、前記形成工程で形成された前記転写材上に形成された定着後の各パッチの色に基づき、プロセスグレーパッチの色度がブラックによるグレーパッチの色度と同じになるシアン及びマゼンダ及びイエローの各階調度を算出し、該算出結果に基づきシアン及びマゼンダ及びイエローの入出力特性の補正を行うことを特徴とする請求項８又は９に記載のカラー画像形成装置における処理方法。
【請求項１１】  ブラックによるグレーパッチとシアン及びマゼンダ及びイエローを混色したプロセスグレーパッチとを転写材上に形成する形成工程を有し、
前記補正工程は、前記第２検知手段により検知された、前記形成工程で形成された前記転写材上に形成された各パッチの色に基づき、プロセスグレーパッチの色度がブラックによるグレーパッチの色度と同じになるシアン及びマゼンダ及びイエローの各階調度を算出し、該算出結果に基づきシアン及びマゼンダ及びイエローの入出力特性を補正し、その後に、前記第２検知手段による定着後のパッチの色の検知を行うことなく、前記第１検知手段による各色の未定着のパッチの濃度の検知結果を用いることにより各色の入出力特性の補正を行うことを特徴とする請求項８又は９に記載のカラー画像形成装置における処理方法。
【請求項１２】  前記第１検知手段は、赤外発光手段と受光手段により構成されることを特徴とする請求項８乃至１１の何れか１項に記載のカラー画像形成装置における処理方法。
【請求項１３】  前記第２検知手段は、白色発光手段と、異なる３色以上のオンチップフィルタ付き受光手段により構成され、転写材の搬送経路内に設置されることを特徴とする請求項８乃至１２の何れか１項に記載のカラー画像形成装置における処理方法。
【請求項１４】  前記第２検知手段は、異なる３色以上の発光手段と受光手段により構成され、転写材の搬送経路内に設置されることを特徴とする請求項８乃至１２の何れか１項に記載のカラー画像形成装置における処理方法。
【手続補正３】
【補正対象書類名】明細書
【補正対象項目名】０００９
【補正方法】変更
【補正の内容】
【０００９】
本発明は、このような状況のもとでなされたもので、カラー画像形成装置において、カラーセンサと濃度センサを組み合わせて使用することにより、カラーセンサを用いた画像入出力特性制御の実施回数を減らして転写材の消費を抑えることを目的とする。また、濃度センサのみを用いた従来の画像入出力特性制御と比較して３次色のグレーバランスを考慮している点で優れている画像入出力特性制御を、１台のカラー画像形成装置内部で実施することを可能にすることを目的とする。
【手続補正４】
【補正対象書類名】明細書
【補正対象項目名】００１０
【補正方法】変更
【補正の内容】
【００１０】
【課題を解決するための手段】
前記目的を達成するため本発明では、カラー画像形成装置を次のように構成した。
未定着のパッチの濃度を検知する第１検知手段と、転写材上に形成された定着後のパッチの色を検知する第２検知手段とを有し、画像の入出力特性の補正を行うカラー画像形成装置であって、前記第１検知手段により検知された未定着のパッチの濃度と、前記第２検知手段により検知された定着後の転写材上のパッチの色と、の両検知結果に基づき、前記入出力特性の補正を行う補正手段を有することを特徴とするカラー画像形成装置。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】０１２８
【補正方法】変更
【補正の内容】
【０１２８】
【発明の効果】
以上説明したように、本発明によれば、カラーセンサと濃度センサを組み合わせて使用することにより、カラーセンサを用いた画像入出力特性制御の実施回数を減らして転写材の消費を抑えることができる。また、濃度センサのみを用いた従来の画像入出力特性制御と比較して３次色のグレーバランスを考慮している点で優れている画像入出力特性制御を、１台のカラー画像形成装置内部で実施することを可能にする。